(57)【要約】【課題】種々の体型に対応可能な矯正用下着を提供する。【解決手段】左および右矯正部１３０、１４０の一方は、第１のフック部１３１と第１のファスナー部１３３とを含む。第１のフック部１３１は、閉じたときに左または右カップ部１１１、１１２の前側に位置し、かつ左右方向に複数並ぶ。第１のファスナー部１３３は、第１のフック部１３１から下方に延び、かつ左右方向に複数並ぶ。左および右矯正部１４０、１３０の他方は、第２のフック部１４１と第２のファスナー部１４３とを含む。第２のフック部１４１は、複数の第１のフック部１３３のいずれかと掛止可能である。第２のファスナー部１４３は、第２のフック部１４１から下方に延び、かつ複数の第１のファスナー部１３３のいずれかと絞止可能である。【選択図】図１
0003149724.tif 000002
【実用新案登録請求の範囲】
【請求項１】
左右の乳房をそれぞれ覆う左カップ部および右カップ部を有する前身頃と、後身頃とを含む本体部と、
開閉可能であり、閉じたときに前記本体部の前記前身頃を覆う左矯正部および右矯正部とを備え、
前記左矯正部および前記右矯正部の一方は、閉じたときに前記左カップ部および前記右カップ部の少なくとも一方の前側に位置し、かつ左右方向に複数並ぶ第１のフック部と、前記第１のフック部から下方に延び、かつ左右方向に複数並ぶ第１のファスナー部とを含み、
前記左矯正部および前記右矯正部の他方は、複数の前記第１のフック部のいずれかと掛止可能な第２のフック部と、前記第２のフック部から下方に延び、かつ複数の前記第１のファスナー部のいずれかと絞止可能な第２のファスナー部とを含む、矯正用下着。
【請求項２】
前記本体部の前記前身頃は、前記右カップ部および前記左カップ部下に形成されたウエスト部をさらに有し、
前記左矯正部および前記右矯正部は、開閉可能であり、かつ閉じたときに前記ウエスト部の前側に位置し、かつ前記左矯正部および前記右矯正部の前記ウエスト部側にそれぞれ形成された左調整部および右調整部を含み、
前記左調整部および前記右調整部の一方は、左右方向に複数並ぶ第３のフック部を有し、他方は複数の前記第３のフック部のいずれかと掛止可能な第４のフック部を有する、請求項１に記載の矯正用下着。
【請求項３】
前記本体部の前記前身頃は、前記左カップ部および前記右カップ部の少なくとも一部に沿うようにそれぞれ形成された左ボーン部および右ボーン部と、前記左ボーン部および前記右ボーン部に沿うように形成された左不織布および右不織布とをさらに有する、請求項１または２に記載の矯正用下着。
【請求項４】
前記本体部の前記前身頃は、前記左カップ部の左上に形成された左脇部と、前記右カップ部の右上に形成された右脇部とをさらに有する、請求項１〜３のいずれか１項に記載の矯正用下着。
【請求項５】
前記本体部は、前記前身頃と前記後身頃とを接続する領域にそれぞれ形成された第３および第４のボーン部をさらに含む、請求項１〜４のいずれか１項に記載の矯正用下着。
【請求項６】
前記本体部の前記後身頃は、前記後身頃の上下方向に延びる第５のボーン部をさらに有する、請求項１〜５のいずれか１項に記載の矯正用下着。
【請求項７】
前記前身頃の上端と、前記後身頃の上端とを接続し、かつ長さの調整が可能な肩ひもをさらに備えた、請求項１〜６のいずれか１項に記載の矯正用下着。
【考案の詳細な説明】
【技術分野】
【０００１】
本考案は、矯正用下着に関する。
【背景技術】
【０００２】
従来より、体型を整える下着が知られている（たとえば実開平６−６９２０６号公報（特許文献１））。特許文献１に開示のボディスーツは、胸の型を整えるブラジャー部と、胴の型を整えるウエストニッパ部と、腰の型を整えるガードル部とを備えている。このウエストニッパ部はファスナーを有している。このファスナーを引き上げることによって、ウエストニッパ部の締め付け効果が得られ、被着者の胴部の型をスリムになるように整えることが記載されている。
【先行技術文献】
【特許文献】
【０００３】
【特許文献１】実開平６−６９２０６号公報
【考案の概要】
【考案が解決しようとする課題】
【０００４】
しかしながら、上記特許文献１のボディスーツでは、ファスナーを引き上げたときに、被着者が痩せている場合には、締め付け効果が得られないことがある。この場合には、被着者の胴部を矯正することができない。また、被着者が太っている場合には、ファスナーを引き上げることができないことがある。この場合には、上記特許文献１のボディスーツを着用できない。
【０００５】
したがって、本考案は、種々の体型に対応可能な矯正用下着を提供することである。
【課題を解決するための手段】
【０００６】
本考案の矯正用下着は、本体部と、左矯正部と、右矯正部とを備えている。本体部は、前身頃と後身頃とを含む。前身頃は、左右の乳房をそれぞれ覆う左カップ部および右カップ部を有する。左矯正部および右矯正部は、開閉可能であり、閉じたときに本体部の前身頃を覆う。左矯正部および右矯正部の一方は、第１のフック部と第１のファスナー部とを含む。第１のフック部は、閉じたときに左カップ部および右カップ部の少なくとも一方の前側に位置し、かつ左右方向に複数並ぶ。第１のファスナー部は、第１のフック部から下方に延び、かつ左右方向に複数並ぶ。左矯正部および右矯正部の他方は、第２のフック部と、第２のファスナー部とを含む。第２のフック部は、複数の第１のフック部のいずれかと掛止可能である。第２のファスナー部は、第２のフック部から下方に延び、かつ複数の第１のファスナー部のいずれかと絞止可能である。
【０００７】
本考案の矯正用下着によれば、第１のフック部および第１のファスナー部が左右方向に複数形成されている。これにより、第２のフック部を第１のフック部のいずれかと掛止することができるので、被着者の胸部の体型に対応することができる。また、第２のファスナー部を第１のファスナー部のいずれかと絞止することができるので、被着者の腹部の体型に対応することができる。このため、被着者の胸部および腹部のそれぞれのサイズに応じて着用することができる。したがって、種々の体型に対応可能な矯正用下着を実現できる。
【０００８】
上記矯正用下着において好ましくは、本体部の前身頃は、右カップ部および左カップ部下に形成されたウエスト部をさらに有し、左矯正部および右矯正部は、開閉可能であり、かつ閉じたときにウエスト部の前側に位置し、かつ左矯正部および右矯正部のウエスト部側にそれぞれ形成された左調整部および右調整部を含み、左調整部および右調整部の一方は、左右方向に複数並ぶ第３のフック部を有し、他方は複数の第３のフック部のいずれかと掛止可能な第４のフック部を有する。
【０００９】
第３のフック部が左右方向に複数形成されているので、第４のフック部を第３のフック部のいずれかと掛止することができる。これにより、被着者の腹部の体型に応じて調整部を閉じることができる。調整部を閉じた状態では、左矯正部および右矯正部を容易に閉じることができる。したがって、被着者が容易に矯正用下着を装着することができる。
【００１０】
上記矯正用下着において好ましくは、本体部の前身頃は、左カップ部および右カップ部の少なくとも一部に沿うようにそれぞれ形成された左ボーン部および右ボーン部と、左ボーン部および右ボーン部に沿うように形成された左不織布および右不織布とをさらに有する。
【００１１】
左ボーン部および右ボーン部により、左右の乳房の形状を保持することができる。左不織布および右不織布により、被着者の胸部のはみ出した部分を包み込むことができる。したがって、被着者の乳房の形状を整えることができる。
【００１２】
なお、上記「ボーン部」とは、テープ状の布と、この布の間に配置された弾性線材等とを有している。
【００１３】
上記矯正用下着において好ましくは、本体部の前身頃は、左カップ部の左上に形成された左脇部と、右カップ部の右上に形成された右脇部とをさらに有する。
【００１４】
これにより、被着者の脇に形成される膨らみ（副乳）が脇へはみ出すことを抑制することができる。
【００１５】
上記矯正用下着において好ましくは、本体部は、前身頃と後身頃とを接続する領域にそれぞれ形成された第３および第４のボーン部をさらに含む。
【００１６】
これにより、被着者のサイドラインを保持できるので、被着者のサイドラインの形状を整えることができる。
【００１７】
上記矯正用下着において好ましくは、本体部の後身頃は、後身頃の上下方向に延びる第５のボーン部をさらに有する。
【００１８】
第５のボーン部により、着用時に安定するので、矯正用下着がずれることを抑制できる。また、被着者の姿勢を矯正することができる。
【００１９】
上記矯正用下着において好ましくは、前身頃の上端と、後身頃の上端とを接続し、かつ長さの調整が可能な肩ひもをさらに備えている。
【００２０】
肩ひもの長さの調整が可能であるため、身長差から生じる体型に対応することができる。したがって、種々の体型により対応することが可能になる。
【考案の効果】
【００２１】
以上より、本考案の矯正用下着によれば、第１のフック部および第１のファスナー部が左右方向に複数形成されているので、第２のフック部を第１のフック部のいずれかと掛止することができ、かつ第２のファスナー部を第１のファスナー部のいずれかと絞止することができる。したがって、種々の体型に対応可能な矯正用下着を実現できる。
【図面の簡単な説明】
【００２２】
【図１】本考案の実施の形態における矯正用下着を概略的に示す斜視図である。
【図２】本考案の実施の形態における矯正用下着を概略的に示す斜視図である。
【図３】本考案の実施の形態における矯正用下着を前から見たときの状態を概略的に示す平面図である。
【図４】本考案の実施の形態における矯正用下着を後から見たときの状態を概略的に示す平面図である。
【図５】本考案の実施の形態における矯正用下着の右矯正部を前から見たときの状態を概略的に示す平面図である。
【図６】本考案の実施の形態における矯正用下着の右矯正部を後から見たときの状態を概略的に示す平面図である。
【図７】本考案の実施の形態における矯正用下着の左矯正部を前から見たときの状態を概略的に示す平面図である。
【図８】本考案の実施の形態における矯正用下着の左矯正部を後から見たときの状態を概略的に示す平面図である。
【考案を実施するための形態】
【００２３】
以下、図面に基づいて本考案の実施の形態を説明する。なお、以下の図面において同一または相当する部分には、同一の参照符号を付し、その説明は繰り返さない。
【００２４】
図１〜図８を参照して、本考案の一実施の形態における矯正用下着を説明する。図１〜図８を参照して、本考案の矯正用下着１００は、本体部１０１と、左矯正部１４０と、右矯正部１３０と、左肩ひも１６１と、右肩ひも１６２とを備えている。本体部１０１は、前身頃１１０と、前身頃１１０と接続された後身頃１２０と、前身頃１１０と後身頃１２０とをそれぞれ接続する左接続部１５１および右接続部１５２とを含んでいる。
【００２５】
主に図３を参照して、前身頃１１０は、左カップ部１１１と、右カップ部１１２と、左ボーン部１１３と、右ボーン部１１４と、左不織布１１８と、右不織布１１９と、ウエスト部１１５と、左脇部１１６と、右脇部１１７とを含んでいる。
【００２６】
左カップ部１１１および右カップ部１１２は、左右の乳房をそれぞれ覆う。左カップ部１１１および右カップ部１１２に沿うように、左ボーン部１１３および右ボーン部１１４が形成されている。左ボーン部１１３および右ボーン部１１４は、一体となっていてもよい。左ボーン部１１３および右ボーン部１１４は、テープ状の布と、この布の間に配置された弾性線材等とを有している。左ボーン部１１３および右ボーン部１１４により、被着者の左右の乳房の形状を保持できる。なお、左ボーン部１１３および右ボーン部１１４の代わりに、ワイヤなどを用いてもよい。
【００２７】
左ボーン部１１３および右ボーン部１１４に沿うように、左不織布１１８および右不織布１１９が形成されている。左不織布１１８および右不織布１１９は一体となっていてもよい。左不織布１１８および右不織布１１９は、他の布よりも厚みが大きく、シートタイプの布である。このため、他の布よりも形状を保つことができるので、被着者の左右の乳房近傍の形状を整えることができる。
【００２８】
左カップ部１１１の左上および右上には、左脇部１１６および右脇部１１７が形成されている。本実施の形態では、左脇部１１６および右脇部１１７は、左および右ボーン部１１３、１１４と、左および右不織布１１８、１１９とにそれぞれ接続されている。左脇部１１６および右脇部１１７は、被着者の腕の付け根に近くに位置するように形成されている。つまり、左脇部１１６および右脇部１１７は、被着者の脇のラインと腕との間隔が小さくなるように形成されている。これにより、被着者のサイドラインの形状を整えることができる。
【００２９】
左カップ部１１１下および右カップ部１１２下（本実施の形態では、左不織布１１８および右不織布１１９下）には、ウエスト部１１５が形成されている。
【００３０】
前身頃１１０と後身頃１２０とを接続する左右の領域に、左接続部１５１および右接続部１５２がそれぞれ形成されている。左接続部１５１および右接続部１５２は、左ボーン部１５３および右ボーン部１５４をそれぞれ含んでいる。左ボーン部１５３および右ボーン部１５４は、左接続部１５１および右接続部１５２の全領域に形成されていてもよく、一部に形成されていてもよい。一部に形成される場合には、たとえば左カップ部１１１および右カップ部１１２に対向する領域のみに左ボーン部１５３および右ボーン部１５４が形成される。
【００３１】
前身頃１１０と接続された後身頃１２０は、主に図４を参照して、後身頃１２０の上下方向に延びる中心軸Ｘに対して対称な位置に形成され、かつ前身頃１１０を重ね合わせたときに左カップ部１１１下および右カップ部１１２下の位置から下方に延びる左ボーン部１２１および右ボーン部１２２をさらに含んでいる。この場合、被着者の背中のラインを整えることができ、また着用時のずれを抑制できる。
【００３２】
なお、後身頃１２０に形成される第５のボーン部は、図４に示す左ボーン部１２１および右ボーン部１２２に限定されず、上下方向に延びていれば１または３以上形成されていてもよい。１つのボーン部が形成される場合には、たとえば後身頃１２０の中心軸Ｘの一部などに、任意の箇所に第５のボーン部を形成することができる。
【００３３】
主に図１および図２を参照して、左矯正部１４０および右矯正部１３０は、開閉可能であり、閉じたときに前身頃１１０を覆う。左矯正部１４０および右矯正部１３０の各々は、左接続部１５１および右接続部１５２で前身頃１１０および後身頃１２０と接続されている。
【００３４】
主に図５および図６を参照して、右矯正部１３０は、第１のフック部１３１と、フック部用布１３２と、第１のファスナー部１３３と、ファスナー部用布１３４と、右調整部１３７とを含んでいる。
【００３５】
第１のフック部１３１は、右矯正部１３０と左矯正部１４０とを閉じたときに、左カップ部１１１および右カップ部１１２の少なくとも一方の前側に位置する。言い換えると、第１のフック部１３１は、右矯正部１３０を前身頃１１０の前に配置すると、左カップ部１１１および右カップ部１１２の少なくとも一方の少なくとも一部の前側に位置する。なお、左カップ部１１１と右カップ部１１２との間に隙間がある場合には、第１のフック部１３１は、右矯正部１３０と左矯正部１４０とを閉じたときに、その隙間の前に位置していてもよい。
【００３６】
第１のフック部１３１は、左右方向に並ぶ複数のフック１３１ａ〜１３１ｃを有している。第１のフック部１３１は、左右方向に複数のフック１３１ａ〜１３１ｃが並んでいれば特に限定されないが、３つ並んでいることが好ましい。また、第１のフック部１３１を構成するフック１３１ａ〜１３１ｃは上下方向に複数並んでいてもよい。つまり、第１のフック部１３１を構成する左右方向に並ぶフック１３１ａ〜１３１ｃは、上下方向に列をなしていてもよい。
【００３７】
第１のフック部１３１を配置するために、右矯正部１３０の左端から左に向かって突出するように、フック部用布１３２が形成されている。
【００３８】
第１のフック部１３１を構成するフック１３１ａ〜１３１ｃから下方に延び、かつ左右方向に複数並ぶように第１のファスナー部１３３を構成するファスナー１３３ａ〜１３３ｃが形成されている。このため、第１のファスナー部１３３は、右矯正部１３０と左矯正部１４０とを閉じたときに、ウエスト部１１５の前に位置する。言い換えると、第１のファスナー部１３３は、右矯正部１３０を前身頃１１０の前に配置すると、ウエスト部１１５の少なくとも一部、好ましくは相対的に右の領域の前に位置する。第１のファスナー部１３３は、左右方向に複数のファスナー１３３ａ〜１３３ｃが並んでいれば特に限定されないが、３つ並んでいることが好ましい。
【００３９】
また、第１のフック部１３１を構成するフック１３１ａ〜１３１ｃおよび第１のファスナー部１３３を構成するファスナー１３３ａ〜１３３ｃの横方向に並ぶ数は同じであることが好ましい。また、上述したように、第１のフック部１３１を構成するフック１３１ａ〜１３１ｃおよび第１のファスナー部１３３を構成するファスナー１３３ａ〜１３３ｃの横方向に並ぶ数は３つずつであることがより好ましい。この場合、被着者の胸部および腹部での調整がそれぞれできるとともに、第１のフック部１３１および第１のファスナー部１３３による矯正用下着１００の厚みを低減できる。このため、被着者が矯正用下着１００を着用したときに、第１のフック部１３１および第１のファスナー部１３３によって不自然なラインになることを防止できる。
【００４０】
ファスナー部用布１３４ａ〜１３４ｃは、矯正用下着１００を前から見たときに、第１のファスナー１３３ａ〜１３３ｃが隠れるように表面１３０ａ側に形成されている。この場合、意匠としても優れたものとなる。また、第１のファスナー１３３ａ〜１３３ｃのうち最も右側に配置された第１のファスナー１３３ｃを覆うファスナー部用布１３４ｃは、右矯正部１３０の表面１３０ａの大部分を構成してもよい。
【００４１】
なお、本実施の形態では、第１のフック部１３１および第１のファスナー部１３３は、右矯正部１３０の表面１３０ａ側に形成されているが、裏面１３０ｂに形成されていてもよい。
【００４２】
主に図６を参照して、右調整部１３７は、左矯正部１４０の左調整部１４７（図８参照）と開閉可能であり、かつ閉じたときにウエスト部１１５上に位置する。右調整部１３７は、右矯正部１３０の裏面１３０ｂ側、つまりウエスト部１１５側に形成されている。
【００４３】
右調整部１３７は、フック部用布１３５と、第３のフック部１３６とを含んでいる。フック部用布１３５は、表面１３５ａおよび裏面１３５ｂを有している。
【００４４】
フック部用布１３５の表面１３５ａには、第３のフック部１３６を構成するフック１３６ａ〜１３６ｃが左右方向に複数並ぶ。第３のフック部１３６は、左右方向に複数のフック１３６ａ〜１３６ｃが並んでいれば特に限定されないが、３つ並んでいることが好ましい。また、第３のフック部１３６を構成するフック１３６ａ〜１３６ｃは上下方向に複数並んでいてもよい。
【００４５】
主に図７および図８を参照して、左矯正部１４０は、第２のフック部１４１と、第２のファスナー部１４３と、ファスナー部用布１４４と、左調整部１４７とを含んでいる。
【００４６】
第２のフック部１４１は、第１のフック部１３１を構成するフック１３１ａ〜１３１ｃのいずれかと掛止可能である。つまり、第１および第２のフック部１３１、１４１は掛けるために要する機構を有し、第１のフック部１３１と第２のフック部１４１とはひっかけることにより止めることができる。つまり、第１および第２のフック部１４１は、ボタンなどの係合具も含む。
【００４７】
第２のフック部１４１は、右矯正部１３０と左矯正部１４０とを閉じたときに左カップ部１１１および右カップ部１１２の少なくとも一方の前に位置する。言い換えると、第２のフック部１４１は、左矯正部１４０を前身頃１１０の前に配置すると、左カップ部１１１および右カップ部１１２の少なくとも一方の少なくとも一部の前に位置する。
【００４８】
本実施の形態における第２のフック部１４１は、左右方向に１つ配置されているが、左右方向に複数配置されていてもよい。また、第２のフック部１４１は上下方向に複数並んでいてもよい。
【００４９】
第２のファスナー部１４３は、第１のファスナー部１３３のいずれかと絞止可能である。つまり、第１および第２のファスナー部１３３、１４３はかませるために要する機構を有し、第１のファスナー部１３３と第２のファスナー部１４３とはかませることにより止めることができる。
【００５０】
第２のファスナー部１４３は、第２のフック部１４１から下方に延びるように形成されている。このため、第２のファスナー部１４３は、右矯正部１３０と左矯正部１４０とを閉じたときにウエスト部１１５の前に位置する。言い換えると、第２のファスナー部１４３は、左矯正部１４０を前身頃１１０の前に配置すると、ウエスト部１１５の少なくとも一部、好ましくは相対的に左の領域の前に位置する。第２のファスナー部１４３は、左右方向に１つ配置されていれば特に限定されないが、左右方向に複数配置されていてもよい。
【００５１】
ファスナー部用布１４４は、矯正用下着１００を前から見たときに、第２のファスナー部１４３が隠れるように形成されている。第２のファスナー部１４３が左右方向に１つ形成されている場合には、第２のファスナー部１４３を覆うファスナー部用布１４４は、左矯正部１４０の表面１４０ａの大部分を構成する。
【００５２】
なお、本実施の形態では、第２のフック部１４１および第２のファスナー部１４３は、左矯正部１４０の裏面１４０ｂ側に形成されているが、表面１４０ａに形成されていてもよい。
【００５３】
また、本実施の形態における第２のファスナー部１４３は、左右方向に１つ形成されているが、第１のファスナー部１３３と絞止可能であれば左右方向に複数配置されていてもよい。
【００５４】
主に図８を参照して、左調整部１４７は、右矯正部１３０の右調整部１３７（図６参照）と掛止可能である。つまり、左調整部１４７は、右矯正部１３０の右調整部１３７（図６参照）と開閉可能である。左調整部１４７は、閉じたときにウエスト部１１５上に位置する。左調整部１４７は、左矯正部１４０の裏面１４０ｂ側、つまりウエスト部１１５側に形成されている。
【００５５】
左調整部１４７は、フック部用布１４５と、第４のフック部１４６とを含んでいる。フック部用布１４５は、表面１４５ａおよび裏面１４５ｂを有している。
【００５６】
フック部用布１４５の裏面１４５ｂには、第４のフック部１４６が形成されている。第４のフック部１４６は、左右方向または上下方向に複数並んでいてもよい。
【００５７】
主に図１および図２を参照して、前身頃１１０の上端と、後身頃１２０の上端とを接続するように、左肩ひも１６１および右肩ひも１６２が形成されている。右肩ひも１６１および左肩ひも１６２には、長さの調整が可能な調節部１６３、１６４がそれぞれ形成されている。これにより、被着者の身長差による前身頃１１０および後身頃１２０の位置を調整できる。
【００５８】
なお、本実施の形態では、前身頃１１０の上端と、後身頃１２０の上端と、左矯正部１４０の上端および右矯正部１３０の上端とを別の部材を介して接続しているが、特にこれに限定されない。前身頃１１０の上端と、後身頃１２０の上端と、左矯正部１４０の上端および右矯正部１３０の上端とを直接接続するように、左肩ひも１６１および右肩ひも１６２が形成されてもよい。
【００５９】
ここで、本実施の形態では、右矯正部１３０に複数のフック１３１ａ〜１３１ｃを有する第１のフック部１３１および複数のファスナー１３３ａ〜１３３ｃを有する第１のファスナー部１３３を備えた矯正用下着１００を説明したが、特にこれに限定されない。たとえば、左矯正部１４０に複数のフックを有する第１のフック部および複数のファスナーを有する第１のファスナー部を形成してもよい。また、たとえば左矯正部１４０および右矯正部１３０の一方に複数のフックを有する第１のフック部を形成し、他方に複数のファスナーを有する第１のファスナー部を形成してもよい。また、たとえば左矯正部１４０および右矯正部１３０の各々に、複数のフックを有する第１のフック部および複数のファスナーを有する第１のファスナー部を形成してもよい。
【００６０】
また、本実施の形態の矯正用下着１００は、上半身用であるが、特にこれに限定されず、臀部など下半身まで延在する形状であってもよい。
【００６１】
以上説明したように、本実施の形態における矯正用下着１００によれば、第１のフック部１３１を構成するフック１３１ａ〜１３１ｃおよび第１のファスナー部１３３を構成するファスナー１３３ａ〜１３３ｃが左右方向に複数形成されている。これにより、第２のフック部１４１を第１のフック部１３１を構成するフック１３１ａ〜１３１ｃのいずれかと掛止することができるので、被着者の胸部の体型に対応することができる。また第２のファスナー部１４３を第１のファスナー部１３３を構成するファスナー１３３ａ〜１３３ｃのいずれかと絞止することができるので、被着者の腹部の体型に対応することができる。このため、被着者の胸部および腹部のそれぞれのサイズに応じて着用することができる。特に被着者の胸部および腹部のサイズの差が標準よりも大きいまたは小さい場合にも、本実施の形態における矯正用下着１００では対応が可能になる。また、被着者の体調、体型の変化などに応じて矯正用下着１００を着用することができるので、長期間使用することができる。したがって、種々の体型に対応可能な矯正用下着１００を実現できる。
【００６２】
また、右矯正部１３０および左矯正部１４０の第１および第２のフック部１３１、１４１を掛止することにより、被着者の左右の乳房を引き寄せることができる。右矯正部１３０および左矯正部１４０の第１および第２のファスナー部１３３、１４３を絞止することにより、被着者の腹部を押さえることができる。このため、矯正用下着１００は、種々の体型対応して、体型を矯正することができる。
【００６３】
今回開示された実施の形態はすべての点で例示であって制限的なものではないと考えられるべきである。本考案の範囲は上記した実施の形態ではなくて請求の範囲によって示され、請求の範囲と均等の意味および範囲内でのすべての変更が含まれることが意図される。
【符号の説明】
【００６４】
１００  矯正用下着、１０１  本体部、１１０  前身頃、１１１  左カップ部、１１２  右カップ部、１１３，１２１，１５３  左ボーン部、１１４，１２２，１５４  右ボーン部、１１５  ウエスト部、１１６  左脇部、１１７  右脇部、１１８  左不織布、１１９  右不織布、１２０  後身頃、１３０  右矯正部、１３０ａ，１３５ａ，１４０ａ，１４５ａ  表面、１３０ｂ，１３５ｂ，１４０ｂ，１４５ｂ  裏面、１３１  第１のフック部、１３１ａ〜１３１ｃ，１３６ａ  フック、１３２  フック部用布、１３３  第１のファスナー部、１３３ａ〜１３３ｃ  ファスナー、１３４，１４４  ファスナー部用布、１３４ａ〜１３４ｃ  ファスナー部用布、１３５，１４５  フック部用布、１３６  第３のフック部、１３７  右調整部、１４０  左矯正部、１４１  第２のフック部、１４３  第２のファスナー部、１４６  第４のフック部、１４７  左調整部、１５１  左接続部、１５２  右接続部、１６１  左肩ひも、１６２  右肩ひも、１６３，１６４  調節部、Ｘ  中心軸。
【図１】
0003149724.tif 000003
【図２】
0003149724.tif 000004
【図３】
0003149724.tif 000005
【図４】
0003149724.tif 000006
【図５】
0003149724.tif 000007
【図６】
0003149724.tif 000008
【図７】
0003149724.tif 000009
【図８】
0003149724.tif 000010